(57)【要約】【課題】  操作を相手に行わせて目的のカードを引き当てさせ、相手に不思議さや面白さを与える手品用具を提供する。【解決手段】  複数枚の基本プレート１０と該基本プレート１０と同枚数の付属プレート２０とを備え、該複数枚の基本プレート１０のオモテ面には、各々異なる数の奇数カウントを示す表示要素が各々描かれており、該カウント表示要素は、文字数又は発音数が奇数の平仮名文字、カタカナ文字、アルファベット文字、図形又は数字などの各種表示記号であって、前記付属プレート２０は、１枚の目的プレート２１とダミープレート２２とで構成され、該１枚の目的プレート２１のオモテ面に任意の絵柄が描かれていることを特徴とする手品用具とする。【選択図】図１
2007244691.tif 000002
【特許請求の範囲】
【請求項１】
複数枚の基本プレートと該基本プレートと同枚数の付属プレートとを備え、
前記複数枚の基本プレートのオモテ面には、各々異なる数の奇数カウントを示すカウント表示要素が各々描かれており、該カウント表示要素は、文字数又は発音数が奇数の平仮名文字、カタカナ文字、アルファベット文字、若しくは音数や示唆する数が奇数とされる図形又は数字などの各種表示記号であって、
前記付属プレートは、１枚の目的プレートとダミープレートとで構成され、該１枚の目的プレートのオモテ面には任意の絵柄が描かれている
ことを特徴とする手品用具。
【請求項２】
前記基本プレート及び前記付属プレートが、カード、ポーカーチップ、コースターなど表裏を有する板状プレートであることを特徴とする請求項１に記載の手品用具。
【請求項３】
前記基本プレートと前記付属プレートの枚数をそれぞれｎ枚としたとき、該基本プレートのオモテ面にはそれぞれ、２ｎ×ａ＋１，２ｎ×ａ＋３，２ｎ×ａ＋５，・・・・・，２ｎ×ａ＋（２ｎ−１）（ａはそれぞれ独立して、０を含む自然数とする）の数を示すカウント表示要素が描かれていることを特徴とする請求項１又は２に記載の手品用具。
【請求項４】
オモテ面を上にした基本プレートとウラ面を上にした付属プレートが交互に重ねられ、積み重ねられた全てのプレートの一番上には基本プレート又は付属プレートが配置され、
該基本プレートは、カウント表示要素が示す奇数が上から２ｎ×ａ＋（２ｎ−１），・・・・・，２ｎ×ａ＋５，２ｎ×ａ＋３，２ｎ×ａ＋１の順番となるように重ねられ、２ｎ×ａ＋１の数を示すカウント表示要素が描かれた基本プレートが基本プレートの内の一番下に重ねられていないときはこの２ｎ×ａ＋１の数を示すカウント表示要素が描かれた基本プレートの下側に２ｎ×ａ＋（２ｎ−１）の数を示すカウント表示要素が描かれた基本プレートが重ねられ、
積み重ねられた全てのプレートの一番下に２ｎ×ａ＋１の数を示すカウント表示要素が描かれた基本プレートが重ねられているときは前記１枚の目的プレートが全てのプレートの一番上に重ねられ、
積み重ねられた全てのプレートの一番下に２ｎ×ａ＋１の数を示すカウント表示要素が描かれた基本プレートが重ねられていないときはこの２ｎ×ａ＋１の数を示すカウント表示要素が描かれた基本プレートの下に前記１枚の目的プレートが重ねられている
ことを特徴とする請求項３に記載の手品用具。
【発明の詳細な説明】
【技術分野】
【０００１】
本発明は、操作を相手に行わせて目的のカードを引き当てさせ、相手に不思議さや面白さを与える手品用具に関するものである。
【背景技術】
【０００２】
表裏面を有するプレート状の用具を用いた手品として、代表的なものにトランプを用いる手品がある。トランプを用いる手品として、例えば、相手が５２枚のカードから任意に選んで抜き取った１枚のカードの種類や数字を当てるものが良く知られている。
【０００３】
また、種々の絵柄を描いた複数枚のカードをアイテムカードとして用意し、このアイテムカードに描かれた絵柄の中から相手に心の中で１つの絵柄を選んでもらい、数枚のカードを相手に提示して演技者が質問を行うことにより、相手が選んだ絵柄を当てる手品を行う手品用カードも提案されている（例えば、特許文献１参照）。
【０００４】
このようなトランプやカードを用いる手品は、演技者が巧みな手さばきだけでなく、種々の話術を織り込んで演技し、観る側に不思議さや面白さを与えている。
【特許文献１】特開平１０−３３７３８２号公報
【発明の開示】
【発明が解決しようとする課題】
【０００５】
前述のように、トランプや絵柄カードなど種々の手品用具としてのカードが従来から用いられているが、新しい手品の演出が要求され、且つ、簡単な仕掛けにより熟練を要することなく、何人でも他人を容易に楽しませ、話術や他のテクニックとあわせるとより不思議な思いを見る者に与えることのできる手品用具としてのアイテムが求められていた。
【０００６】
本発明は、このような要求に応え、新たな演出を可能とする手品用具を提供することを目的としている。
【課題を解決するための手段】
【０００７】
本発明は、複数枚の基本プレートと該基本プレートと同枚数の付属プレートとを備え、該複数枚の基本プレートのオモテ面には、各々異なる数の奇数カウントを示すカウント表示要素が各々描かれており、前記付属プレートは、１枚の目的プレートとダミープレートとで構成され、該１枚の目的プレートのオモテ面に任意の絵柄が描かれていることを特徴とする手品用具に関する。本発明において、該カウント表示要素は、文字数又は発音数が奇数の平仮名文字、カタカナ文字、アルファベット文字、若しくは音数や示唆する数が奇数とされる図形又は数字などの各種表示記号とする。
【０００８】
また、前記基本プレート及び前記付属プレートは、カード、ポーカーチップ、コースターなど表裏を有する板状プレートとする。
【０００９】
更に、前記基本プレートのオモテ面に描かれるカウント表示要素は、該基本プレートと前記付属プレートの枚数をそれぞれｎ枚としたとき、２ｎ×ａ＋１，２ｎ×ａ＋３，２ｎ×ａ＋５，・・・・・，２ｎ×ａ＋（２ｎ−１）（ａはそれぞれ独立して、０を含む自然数とする）の数を示すカウント表示要素が描かれる。
【００１０】
本発明の手品用具は、オモテ面を上にした基本プレートとウラ面を上にした付属プレートが交互に重ねられ、積み重ねられた全てのプレートの一番上には基本プレート又は付属プレートが配置され、
該基本プレートは、カウント表示要素が示す奇数が上から２ｎ×ａ＋（２ｎ−１），・・・・・，２ｎ×ａ＋５，２ｎ×ａ＋３，２ｎ×ａ＋１の順番となるように重ねられ、２ｎ×ａ＋１の数を示すカウント表示要素が描かれた基本プレートが基本プレートの内の一番下に重ねられていないときはこの２ｎ×ａ＋１の数を示すカウント表示要素が描かれた基本プレートの下側に２ｎ×ａ＋（２ｎ−１）の数を示すカウント表示要素が描かれた基本プレートが重ねられ、
積み重ねられた全てのプレートの一番下に２ｎ×ａ＋１の数を示すカウント表示要素が描かれた基本プレートが重ねられているときは前記１枚の目的プレートが全てのプレートの一番上に重ねられ、
積み重ねられた全てのプレートの一番下に２ｎ×ａ＋１の数を示すカウント表示要素が描かれた基本プレートが重ねられていないときはこの２ｎ×ａ＋１の数を示すカウント表示要素が描かれた基本プレートの下に前記１枚の目的プレートが重ねられた構成で使用する。
【発明の効果】
【００１１】
本発明の手品用具は、オモテ面に各々異なる数の奇数カウントを示すカウント表示要素が描かれた複数枚の基本プレートと、該基本プレートと同枚数であって１枚の目的プレートと複数枚のダミープレートとで構成される付属プレートとで構成されており、当該手品用具を用いて演技者は相手に操作を行わせ、相手は自分の意思で操作を行うにも関わらず目的プレートを引き当てることとなるため、相手に不思議さと面白さを与えることができる。また、取り扱いが簡単であるため、何人でも容易に他人を楽しませることができる。
【発明を実施するための最良の形態】
【００１２】
本発明に係る手品用具は、複数枚の基本プレートと該基本プレートと同枚数の付属プレートとで構成されている。該複数枚の基本プレートのオモテ面には、異なる数の奇数カウントを示すカウント表示要素が各々描かれており、該付属プレートは、１枚の目的プレートとダミープレートとで構成され、該１枚の目的プレートのオモテ面には任意の絵柄が描かれている。演技者はこれらのプレートを相手に操作させ、目的プレートを引き当てさせる手品を行う。
【００１３】
本発明において、前記基本プレート及び前記付属プレートは、表裏を有し、重ねて操作できるものであれば特に限定されることはない。例えば、カードやポーカーチップ、コースターなど任意の形状、材質のものを用いることができる。特に、手品の分野において一般に広く用いられているトランプ形状のカードを好適に用いることができる。
【００１４】
本発明において用いる基本プレート及び付属プレートは、各々２枚以上で構成し、特に限定はされないが、好ましくは各々３〜２６枚ずつ、更に好ましくは各々４〜１２枚ずつで構成する。使用するプレートの枚数が多くなれば操作数が多くなり演技時間が長くなる。
【実施例】
【００１５】
以下、本発明を図に示す１実施形態に基づき詳細に説明するが、本発明は、本実施例に限定されるものではない。尚、本実施例は、基本プレート及び付属プレートにカードを用いたもので説明する。
【００１６】
本発明に係る手品用具1は、図１に示すように、複数枚の基本カード10と該基本カード10と同枚数の付属カード20とで構成されており、該付属カード20は、１枚の目的カード21とダミーカード22とで構成されている。
【００１７】
基本カード10のオモテ面にはそれぞれ、図１及び図２に示すように、数若しくは数に変換できる文字数又は発音数のカウント表示要素が描かれている。該カウント表示要素としては、例えば、平仮名文字やカタカナ文字、アルファベット文字や数字、その他カウント可能な図形集団などの各種表示記号であれば特に限定することなく描くことができる。本発明においてこれらカウント表示要素は、奇数でカウントされるものであり、例えば図２に示すように、「ふしぎ」と３文字で表示された基本カード12や、「おまじない」と５文字で表示された基本カード13などを用いる。
【００１８】
各々の基本カード10のオモテ面に表示されるカウント表示要素の文字数又は発音数は、用いる基本カード10の枚数をｎ枚としたとき、２ｎ×ａ＋１，２ｎ×ａ＋３，２ｎ×ａ＋５，・・・・・，２ｎ×ａ＋（２ｎ−１）（ａはそれぞれ独立して、０を含む自然数とする）で導かれる奇数を示す表示をする。例えば図２に示すように、４枚の基本カードを用いて手品を行う場合、９文字が表示された基本カード11、３文字が表示された基本カード12、５文字が表示された基本カード13、７文字が表示された基本カード14を使用する。
【００１９】
つまり、図２に示す基本カード10のオモテ面に表示される９、３、５、７の文字数は、
基本カード11は、２×４×１＋１＝９（ａ＝１）
基本カード12は、２×４×０＋３＝３（ａ＝０）
基本カード13は、２×４×０＋５＝５（ａ＝０）
基本カード14は、２×４×０＋７＝７（ａ＝０）
の式より導かれたものである。
ここで、ａは０を含む自然数と定義しているため、任意に変更可能であり、例えば、上記基本カード12に関してａ＝１として表示文字数を１１文字としたり、上記基本カード13に関してａ＝２として表示文字数を２１文字とすることができる。
【００２０】
本発明において、２ｎ×ａ＋１を示す文字数のカウント表示要素としての表示記号が表示された基本カードに関し、ａ＝０として表示文字を１文字にしたカードを作成しても良いが、手品をより複雑なものとし面白みを相手に感じさせるため、ａは１以上の自然数にすることが好ましい。また、表示記号により基本カードの各々に示す数は３から連続する奇数となる数とすることで取り扱いが容易となる。
【００２１】
尚、上記した２ｎ×ａ＋１で導かれる文字数が表示される基本カードは、本発明の手品用具を用いて手品を行う上でポイントとなるカードであり、以下キーカードということがある。
【００２２】
本発明の手品用具1を用いてマジックを行うにあたり、基本カード10はオモテ面を上にして、上から２ｎ×ａ＋（２ｎ−１），・・・・・，２ｎ×ａ＋５，２ｎ×ａ＋３，２ｎ×ａ＋１（ａはそれぞれ独立して、０を含む自然数）の順に並べて用意しておく。これは後述するが、相手に２ｎ×ａ＋１で導かれるキーカード11の下側に必ず目的カード21を配置させ、且つ基本カード10のオモテ面に表示される文字数枚だけカードを移動させたときに目的カード21が必ず一番上に位置するようにするためである。
【００２３】
本発明において、基本カードに描かれるカウント表示要素の文字数が連続した奇数である場合、例えば、６枚の基本カードを用い、その基本カードの各々の表示文字数が３、５、７、９、１１、１３（この場合、１３文字が表示されたカードが２ｎ×ａ＋１で導かれるキーカードに該当するカードである）である場合、演技者がキーカードを瞬時に判断できるため、演技に不慣れな演技者でも容易に手品を行うことができる。また、この場合、基本カードは上から１１、９、７、５、３、１３の文字数が表示されたカードの順で並べるので、相手にカードの並び方の連続性を悟られにくくなっている。
【００２４】
また、上記文字数及びカードの並べ方の原則に従った上で、ａに代入する数字を任意に変更して表示文字数を決定した場合、例えば、６枚の基本カードの各々の表示文字数が、カードの上から１１、２１、１９、５、９、１３（この場合、１３文字が表示されたカードが２ｎ×ａ＋１で導かれるキーカードに該当するカードである）とした場合は、数の並びがバラバラな感じを相手に与えるので、より手品に不思議さを与えることができる。
【００２５】
付属カード20は前記基本カード10と同枚数のカードであり、上述した如く、１枚の目的カード21とダミーカード22とで構成される。
本発明において、目的カード21とダミーカード22のオモテ面には任意の絵柄などを描くことができ、例えば図１に示すように、目的カード21にのみ目的に合った絵柄を描き、ダミーカード22は無地であっても良い。また、ダミーカード22に全て同一の絵柄や目的外の適宜の絵柄を描いても良い。
【００２６】
目的カード21の絵柄は、相手に見せたときに喜びや驚きを与えるものにすればよく、例えば図１に示すように、誕生日を祝う絵柄の描かれた目的カード21を用いた場合、相手の誕生日や誕生月にこの手品を披露すると、お祝いのメッセージが予期せず現れるので、相手にうれしい驚きを与えることができる。
【００２７】
本発明の手品用具1を用いてマジックを行うにあたり、付属カード20は、ウラ面を上にして一番下が目的カード21になるように重ねて用意しておく。これは演技者が付属カード20を１枚ずつ相手に渡していくときに最後に目的カード21を手渡すようにするためである。
【００２８】
本発明において、手品用具１は、オモテ面を上にした基本カード10とウラ面を上にした付属カード20を交互に重ね、該基本カード10は、カウント表示要素が上から２ｎ×ａ＋（２ｎ−１），・・・・・，２ｎ×ａ＋５，２ｎ×ａ＋３，２ｎ×ａ＋１の順番となる構成を成している。２ｎ×ａ＋１の数を示すカウント表示要素が描かれた基本カード（キーカード）が基本カード10内の重なりにおいて一番下に位置していないときはこのキーカードの下側に２ｎ×ａ＋（２ｎ−１）の数を示すカウント表示要素が描かれた基本カードが配置された状態となる。また、積み重ねられた全てのカードにおいてキーカードが一番下に位置しているとき目的カード21は全てのカードの一番上に重ねられており、キーカードが一番下に位置していないときはこのキーカードの下に目的カード21が重ねられている。
【００２９】
マジックを行う際に、演技者は、上記用意した基本カード10を相手に持ってもらい、付属カード20を１枚ずつ相手に渡していき、まずは各々基本カード10の間の好きな所に付属カード20（このときはダミーカード22）を挿入させ、最後の１枚となった付属カード20（このときは目的カード21）を一番上の基本カード10（２ｎ×ａ＋（２ｎ−１）の文字数が表示されたカード）の上側か、一番下の基本カード10（２ｎ×ａ＋１の文字数が表示されたカード）の下側かを選ばせて配置させる。
【００３０】
その後、演技者は相手に一番上のカードから１枚ずついちばん下側へカードを移動させ、好きな文字数の表示要素が表示された基本カード10を選択させる。それから、相手が選んだ基本カード10に表示された文字数枚だけ、同様に１枚ずつカードを移動させる。
【００３１】
基本カード10のオモテ面には、奇数のカウントができるカウント表示要素が表示されているため、必ずウラ面を上にして挿入した付属カード20が一番上に現れることとなる。演技者は、相手にその付属カード20を裏返させると目的カード21が出てくることとなり、相手に驚きを与えることとなる。
【００３２】
つまり、操作する相手は、任意の基本カード10の間に付属カード20を挿入し、且つ残った付属カード20を一番上の基本カード10の上側か一番下の基本カード10の下側かを選んで配置するが、目的カード21は必ずキーカードの下側へ配置されることとなる。
【００３３】
基本カード10は、上から２ｎ×ａ＋（２ｎ−１），・・・・・，２ｎ×ａ＋５，２ｎ×ａ＋３，２ｎ×ａ＋１（ａはそれぞれ独立して、０を含む自然数）の順で並べてあるので、基本カード10のオモテ面に表示された文字数枚だけ１枚ずつカードを移動させると必ず目的カード21が一番上にくることとなる。
【００３４】
以上説明したように、本発明の手品用具1を用いてマジックを行い、相手に操作させることで、相手は自分が操作したにもかかわらず、目的カード21を引き当てるため、不思議な感覚を覚えることとなる。
【００３５】
以下、本発明の手品用具1を用いてマジックを行う遊び方を説明する。図１に示すように、４枚の基本カード10、誕生日を祝う絵柄が描かれた１枚の目的カード21、及び３枚の無地のダミーカード22の計８枚を用いた遊び方を説明する。
【００３６】
まず、図２に示すようにオモテ面に３、５、７、９文字のことばが描かれた基本カード10をオモテ面を上にして、上から、７文字の基本カード14、５文字の基本カード13、３文字の基本カード12、９文字の基本（キー）カード11の順に並べておく。相手にとって特別なマジックを行う旨を伝えながら、これらカードを相手に渡して、図３に示すように広げて持ってもらう。
【００３７】
次に、あらかじめ用意しておいた１枚の目的カード21と３枚のダミーカード22を、オモテを見せないようにして出す。このとき、図４に示すように、目的カード21とダミーカード22をウラ向きにして出し、一番下が目的カード21になるように自分で持つ。このとき、「これらカードのオモテ面は見ないで下さい。最後にお見せします」と伝える。
【００３８】
次に、「今からカードを渡しますので、４枚のカードの間の好きな場所から１枚ずつ入れてください」と指示し、図５に示すように、自分が持っているウラ向きのカードの上から１枚ずつを相手にウラ向きの状態で渡し、相手が持っている４枚のカードの間の好きな位置に入れてもらう。４枚目のカード（目的カード21）は、図６に示すように、いちばん上Aかいちばん下Bの好きなほうを選んで入れてもらう。
【００３９】
その後、図７（ａ）に示すように、８枚のカードを揃えて持ってもらい、「いちばん上のカードを取って下へまわしていって下さい。そして好きなことばの場所で止めて下さい」と指示し、図７（ｂ）に示すように、上から１枚ずつカードを取って一番下へまわし、好きなことばのカードの場所で、この動作をやめてもらう。
【００４０】
相手が好きなことばのカードを選んだら、「あなたは、好きな場所に４枚のカードを差し込み、さらに好きなことばを選びました。間違いありませんね？」と確認する。その後、「では、そのことばを覚えて、口で言いながらその数だけカードを下へまわして下さい」と指示し、そのことばの数だけカードをまた、上から下へまわしてもらう。即ち、図８（ａ）に示すように相手が「ふしぎ」ということばを選んだ場合、図８（ｂ）に示すように、「ふしぎ」のカードを含んで３枚のカードを上から下へまわしてもらう。このとき、「ふ」「し」「ぎ」と声に出して動作させ、正しい枚数を下へ回させるようにする。
【００４１】
図９（ａ）に示すようにウラ向きのカードが一番上にあらわれるので、それを相手に裏返してもらう。すると、図９（ｂ）に示すように、目的カード21が現れるので、「お誕生日おめでとう」の言葉をかける。その後、「他のカードが気になりませんか？見てください」と言いながら、図１０に示すようにその他の３枚の裏向きカード（ダミーカード22）のオモテを見せると、それが全て無地であるため、さらに驚きを与えることができる。
【００４２】
このように、本発明は演技者が話術と組み合わせて相手に操作させ、相手に不思議な思いをさせる手品とすることができる。
【００４３】
上記実施形態では、基本カード10のオモテ面に表示されるカウント表示要素を奇数として説明したが、本発明の別の実施形態として、偶数のカウント表示要素を表示することもできる。例えば、カウント表示要素を２ｎ×ａ，２ｎ×ａ＋２，２ｎ×ａ＋４，・・・・・，２ｎ×ａ＋（２ｎ−２）（ａはそれぞれ独立して、０を含む自然数とする）の数として表示しておき、相手にはその偶数のカウント表示要素が示されたカードを含めずにカウントさせながらカードを１枚ずつ上から下へ送らせていけばよい。
【産業上の利用可能性】
【００４４】
本発明において、付属カード20のオモテ面に全て異なったイラストを描いて、そのうちの１枚を目的カード21に選んで演技を行うこともできる。この場合、カードのウラ面に相手からは分からない形式でそれぞれのカードを区別できるようにしておくと良い。
【００４５】
例えば、トランプのエースのカード４枚を付属カード20とした場合、相手にまずオモテ面の絵柄を見せて心の中で１つの絵柄を選んでもらい、その絵柄を覚えておいてもらう。次に、演技者はカードのウラ面を見て相手が選んだカードを区別し、さりげなくそのカードを一番下側へ移動させる。その後、上記した操作を相手に行わせて、マジックを行う。
【図面の簡単な説明】
【００４６】
【図１】本発明の手品用具の構成を示す図である。
【図２】基本カードの並べ方を説明する図である。
【図３】本発明の手品用具を用いたマジックの進行を説明する図である。
【図４】本発明の手品用具を用いたマジックの進行を説明する図である。
【図５】本発明の手品用具を用いたマジックの進行を説明する図である。
【図６】本発明の手品用具を用いたマジックの進行を説明する図である。
【図７】本発明の手品用具を用いたマジックの進行を説明する図である。
【図８】本発明の手品用具を用いたマジックの進行を説明する図である。
【図９】本発明の手品用具を用いたマジックの進行を説明する図である。
【図１０】本発明の手品用具を用いたマジックの進行を説明する図である。
【符号の説明】
【００４７】
１        手品用具
１０      基本カード
１１      基本（キー）カード
１２、１３、１４    基本カード
２０      付属カード
２１      目的カード
２２      ダミーカード
【図１】
2007244691.tif 000003
【図２】
2007244691.tif 000004
【図３】
2007244691.tif 000005
【図４】
2007244691.tif 000006
【図５】
2007244691.tif 000007
【図６】
2007244691.tif 000008
【図７】
2007244691.tif 000009
【図８】
2007244691.tif 000010
【図９】
2007244691.tif 000011
【図１０】
2007244691.tif 000012